(57)【特許請求の範囲】
【請求項１】
下階と上階との間で乗りかごを運行制御するエレベータのかご移動制御装置において、
各階の乗場に設置された乗場呼び操作ボタンと、
前記乗りかごのかご内荷重を検出する荷重検出手段と、
前記乗場呼び操作ボタンの操作による乗場呼びに対する呼び登録に対して、前記乗りかごの乗場呼び登録階と現在停止階とが異なるとき、前記乗りかごの現在停止階から移動の必要有りと判定し、該乗りかごを前記呼び登録階に移動させる呼び登録判定手段と、
前記呼び登録階に着床後、エレベータの戸開指令の送出タイミングを利用して前記荷重検出手段から利用者の乗車前かご内荷重を取得し、エレベータの完全戸閉の検出タイミングを利用して前記荷重検出手段から利用者の乗車後かご内荷重を取得し、これら乗車前と乗車後のかご内荷重の変化値を求める荷重取得手段と、
前記利用者の乗車前と乗車後のかご内荷重の変化値と予め定めるしきい値とを比較し、かご内荷重変化値がしきい値以上になったとき、前記利用者が乗車したと判定し、前記乗りかごを予め定めるかご呼び登録階に移動させる利用者乗車判定手段と
を備えたことを特徴とするエレベータのかご移動制御装置。
【請求項２】
請求項１に記載のエレベータのかご移動制御装置において、
前記利用者乗車判定手段は、前記利用者の乗車前と乗車後のかご内荷重の変化値が前記しきい値未満であるとき、前記利用者が乗車しないと判定し、前記乗場呼び登録階に停止して戸閉待機することを特徴とするエレベータのかご移動制御装置。
【請求項３】
下階と上階との間で乗りかごを運行制御するエレベータのかご移動制御方法において、
乗場呼びに対する呼び登録に対して、乗場呼び登録階が前記乗りかごの現在停止階と異なるときに該呼び登録階に移動させる呼び登録判定ステップと、
前記呼び登録階に着床後、エレベータの戸開指令の送出タイミングを利用して前記乗りかご底部に設置される荷重検出センサから利用者の乗車前かご内荷重を取得し、エレベータの完全戸閉の検出タイミングを利用して前記荷重検出センサから利用者の乗車後かご内荷重を取得し、これら乗車前と乗車後のかご内荷重の変化値を求める荷重取得ステップと、
前記利用者の乗車前と乗車後のかご内荷重変化値と予め定められたしきい値とを比較し、かご内荷重変化値が該しきい値以上となったとき、前記利用者が乗車したと判定し、予め定めたかご呼び登録階に移動させる利用者乗車判定ステップと
を有することを特徴とするエレベータのかご移動制御方法。
【発明の詳細な説明】
【技術分野】
【０００１】
本発明の実施の形態は、エレベータのかご移動制御装置及びかご移動制御方法に関する。
【背景技術】
【０００２】
従来、下階と上階との間で運転されるエレベータは、各階の乗場に乗場呼びボタンが設置され、利用者が乗場呼びボタンを操作して乗場呼び信号を送信し、乗りかごを乗場呼び階に呼び寄せる。利用者が乗りかごに乗り込むと、乗りかごのかご室と外枠であるかご枠との間に設置される荷重検出センサからかご内荷重信号を取り込み、そのかご内荷重の変化から利用者が乗りかご内に乗車したかどうかを判定している。
【０００３】
利用者が乗りかごに乗車したと判定したとき、利用者がかご操作盤の行先ボタンを操作することなく、乗場呼び階が下階であれば、上階へ自動的に走行し着床する。一方、乗場呼び階が上階であれば、下階へ自動的に走行し着床する。
【０００４】
しかしながら、乗りかご内に利用者が乗っているかどうかは、乗りかごに設置される荷重検出センサで検出される荷重信号から判定することから、かご荷重センサの経年的なずれが発生した場合、かご内の乗車有無を正確に判定することが難しくなる。
【０００５】
このことは、利用者の乗車だけでなく、荷物の運搬の場合にもかご荷重センサからかご内荷重信号を取り込み、乗りかご内に荷物が乗っているかを判定するので、利用者の乗車有無の場合と同様に荷重検出センサの経年的なずれが問題となる。
【先行技術文献】
【特許文献】
【０００６】
【特許文献１】特開平２−１００９７４号公報
【特許文献２】特開２０００−７２３４号公報
【発明の概要】
【発明が解決しようとする課題】
【０００７】
本発明が解決しようとする課題は、荷重検出センサの経年的なずれの影響を受けずに利用者の乗車を正確に判定し、自動的にかご呼び登録するエレベータのかご移動制御装置及びかご移動制御方法を提供することにある。
【課題を解決するための手段】
【０００８】
上記課題を解決するために、実施の形態に係るエレベータのかご移動制御装置は、各階の乗場に設置された乗場呼び操作ボタンと、前記乗りかごのかご内荷重を検出する荷重検出手段と、前記乗場呼び操作ボタンの操作による乗場呼びに対する呼び登録に対して、前記乗りかごの乗場呼び登録階と現在停止階とが異なるとき、前記乗りかごの現在停止階から移動の必要有りと判定し、該乗りかごを前記呼び登録階に移動させる呼び登録判定手段と、前記呼び登録階に着床後、エレベータの戸開指令の送出タイミングを利用して前記荷重検出手段から利用者の乗車前かご内荷重を取得し、エレベータの完全戸閉の検出タイミングを利用して前記荷重検出手段から利用者の乗車後かご内荷重を取得し、これら乗車前と乗車後のかご内荷重の変化値を求める荷重取得手段と、前記利用者の乗車前と乗車後のかご内荷重の変化値と予め定めるしきい値とを比較し、かご内荷重変化値がしきい値以上になったとき、前記利用者が乗車したと判定し、前記乗りかごを予め定めるかご呼び登録階に移動させる利用者乗車判定手段とを含む構成である。
【図面の簡単な説明】
【０００９】
【図１】実施の形態に係るエレベータのエレベータのかご移動制御装置を適用したエレベータシステムの概略構成を示す図。
【図２】実施の形態に係るエレベータのかご移動制御装置の主要な構成部分を概略的に示す図。
【図３】実施の形態に係るエレベータのかご移動制御装置の一連の処理手順を説明するフロチャート。
【発明を実施するための形態】
【００１０】
以下、実施の形態について、図面を参照して説明する。  
図１は実施の形態に係るエレベータのかご移動制御装置の構成図であって、２階建ての住宅に設置した例を示している。
【００１１】
エレベータは、巻上機１と、この巻上機１の回転シーブに巻き掛けられたメインロープ２の各端部に吊下された乗りかご３及びつり合いおもり４と、各階からの乗場呼びの呼び登録に従って乗場呼び階へ向けて乗りかご３を走行させるための速度制御信号を出力するエレベータ制御装置５と、この速度制御信号に応じて巻上機１を回転駆動する駆動部６とを含む構成である。
【００１２】
乗りかご３は、内側のかご室３ａと外枠となるかご枠３ｂとの２重構造に形成され、そのかご室３ａ底部とかご枠３ｂとの間に防振ゴム７及び荷重検出センサ８を挟んだ構造となっている。
【００１３】
エレベータ制御装置５は、かご移動制御用プログラムデータを含む各種のデータを記憶する記憶装置５1と、かご移動制御用プログラムに従ってかご移動制御を実行するＣＰＵで構成されるエレベータ制御処理部５２とで構成される。
【００１４】
９はエレベータ制御装置５から乗りかご３の電力供給及びエレベータ制御装置５と乗りかご３の間で相互に必要な情報のやり取りを行うテールコード、１０は各階の乗場に設置される乗場操作ボタンである。
【００１５】
次に、実施の形態に係るエレベータのかご移動制御装置の主要構成について、図２を参照して具体的に説明する。
【００１６】
エレベータ制御装置５の一部を構成する記憶装置５1は、少なくともしきい値データ記憶部５1ａ、第１の荷重データ記憶部５1ｂ及び第２の荷重データ記憶部５1ｃが設けられている。その他、記憶装置５1には、エレベータ制御装置５の運行制御に関連する運行制御関連データやエレベータの異常を監視するためにエレベータシステム各所に設置されるセンサの計測データが記憶される。
【００１７】
しきい値記憶部５1ａには、利用者が乗りかご３に乗車したかどうかを判定させるために必要な重量に関するしきい値データが記憶される。第１の荷重データ記憶部５1ｂには利用者が乗りかご３に乗車する前にかご荷重検出センサ８で検出される荷重データが記憶される。第２の荷重データ記憶部５1ｃには利用者が乗りかご３に乗車した後に荷重検出センサ８で検出される荷重データが記憶される。
【００１８】
エレベータ制御処理部５２は、機能的には，呼び登録判定手段５２Ａ、荷重取得手段５２Ｂ及び利用者乗車判定手段５２Ｃが設けられている。
【００１９】
呼び登録判定手段５２Ａは、乗場呼びに対する呼び登録に対して、現在の乗りかご３が何れの階に停止しているかを判定し、呼び登録階に移動するかを判定する機能を有する。
【００２０】
荷重取得手段５２Ｂは、乗りかご３のドア開・閉状態のタイミングを利用して荷重検出センサ８から乗場呼び登録階のドア開前及びドア閉後のかご荷重信号を取得する機能を有する。
【００２１】
利用者乗車判定手段５２Ｃは荷重取得手段５２Ｂで取得されたかご荷重信号から乗場呼び登録階から利用者が乗車したかの有無を判定する機能を有する。
【００２２】
次に、実施の形態に係るエレベータのかご移動制御装置の作用について、図３を参照して説明する。
【００２３】
エレベータ制御装置５の動作が開始すると、エレベータ制御処理部５２は、記憶装置５1に格納されているかご移動制御用プログラムデータを読み取って図３に示す所定の処理手順に従って一連の処理を実行する。
【００２４】
先ず、エレベータ制御処理部５２は、エレベータ制御装置５の動作開始に伴い、周期的に乗りかご３が行先方向の指定の無い無方向停止中か否かを判断する（Ｓ１）。
【００２５】
乗りかご３の無方向停止中、ある階の乗場操作ボタン１０から乗場呼び信号が発生すると、その乗場呼び信号を受付けて乗場呼び登録を行った後（Ｓ２）、乗りかご３の現在停止位置が乗場呼び登録階と同一か否かを判定する（Ｓ３）。ここで、乗りかご３の現在停止階が乗場呼び登録階と同一でなければ当該乗場呼び登録階に向けて移動し（Ｓ４）、乗場呼び登録階に着床する（Ｓ５）。一方、ステップＳ３において、乗りかご３の現在停止階が乗場呼び登録階と同一階で有れば、現在乗場呼び登録階に移動中か、乗場呼び登録階に着床中の状態にある（Ｓ５）。これらステップＳ１〜Ｓ５は、呼び登録判定手段５２Ａまたは呼び登録判定ステップに相当する。
【００２６】
エレベータ制御処理部５２は、乗場呼び登録階に着床後、戸開指令を乗りかご３上部に設置されるドア制御装置（図示せず）に送出するタイミングを利用し、乗りかご３の底部に設置される荷重検出センサ８からかご内荷重（Ａ）を取得し、記憶装置５1の第１の荷重データ記憶部５1ｂに記憶するとともに（Ｓ６）、ドア制御装置を介してエレベータドア（図示せず）を戸開する（Ｓ７）。
【００２７】
エレベータドアの完全戸開後、所定時間経過後に戸閉指令を乗りかご３のドア制御装置に送出し、エレベータドアの戸閉を開始する（Ｓ８）。そして、エレベータ制御処理部５２は、エレベータドアの完全戸閉を確認後、荷重検出センサ８からかご内荷重（Ｂ）を取得し、記憶装置５1の第２の荷重データ記憶部５1ｃに記憶する（Ｓ９）。これらステップＳ６〜Ｓ９は荷重取得手段５２Ｂまたは荷重取得ステップに相当する。
【００２８】
さらに、エレベータ制御処理部５２は、記憶装置５1の第１，第２の荷重データ記憶部５1ｂ，５１ｃに記憶されるかご内荷重（Ａ），（Ｂ）を読み出し、かご内荷重（Ａ）とかご内荷重（Ｂ）とを比較する（Ｓ１０）。すなわち、ステップＳ１０では、かご内荷重（Ａ）とかご内荷重（Ｂ）とが同一か否かを判断し、同一の荷重でなければかご内荷重（Ｂ）がしきい値記憶部５1ａに記憶されるしきい値以上の変化であるか否かを判定する（Ｓ１１）。
【００２９】
ここで、しきい値とは、例えば乗りかご３に乗車して目的階に移動できる能力を有する年齢の平均重量を見合う重量であることが必要である。
【００３０】
引き続き、エレベータ制御処理部５２は、ステップＳ１１においてかご内荷重（Ｂ）がしきい値以上であれば利用者が乗車したと判定すると、予め定める目的階へ自動的にかご呼び登録を実施し（Ｓ１２）、その登録されたかご呼び登録階に移動する（Ｓ１３）。
【００３１】
なお、ステップＳ１２において、かご内荷重の変化量がしきい値未満の場合には乗りかご３の停止階で戸閉待機させた状態となる。
【００３２】
以上のステップＳ１０〜Ｓ１３の処理は、利用者乗車判定手段５２Ｃまたは利用者乗車判定ステップに相当する。
【００３３】
従って、以上のような実施の形態によれば、乗場呼び登録に基づき、当該乗場呼び登録階に着床後の戸開指令タイミングを利用して荷重検出センサ８からかご内荷重（Ａ）を取得し、また、完全戸閉のタイミングを利用して荷重検出センサ８からかご内荷重（Ｂ）を取得し、かご内荷重（Ｂ）−かご内荷重（Ａ）の変化から利用者の乗車有無を判定するようにしたので、例えば乗りかご３内に荷物の置き忘れがあったり、荷重検出センサ８に経年的な劣化やその他の要因でずれが生じても、正確な荷重の変化を把握できる。
【００３４】
また、戸開指令タイミングで取得されたかご内荷重（Ａ）と完全戸閉のタイミングで取得されたかご内荷重（Ｂ）との変化から利用者の乗車有無を判定し、乗りかご３内に利用者が乗車したと判定されたとき、予め定められた行先階（目的階）に自動的に移動するので、行先階登録のボタン操作が不要により、利用者の負担が軽減できる。
【００３５】
また、予め記憶装置５１のしきい値記憶部５1ａに任意に定めるしきい値を設定し、かご内荷重の変化が設定されたしきい値以上の場合に利用者が乗車したと判定するので、しきい値記憶部５1ａに設定すべきしきい値が変更可能であり、例えば設置環境、用途別、ホームエレベータの居住者等に合わせて、任意のしきい値を変更設定することができる。
【００３６】
さらに、乗りかご３のかご内荷重の変化がしきい値未満のとき、乗場呼び登録階に停止して戸閉待機した状態となるので、無駄な運転が無くなって省エネ化を図ることができ、また、利用者が乗り遅れた場合でも乗りかご３は停止階で待機しているので、再度乗場操作ボタン１０を押すことで再戸開させて乗車することができる。
【００３７】
なお、上記実施の形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１…巻上機、３…乗りかご、３ａ…かご室、３ｂ…かご枠、４…つり合いおもり、５…エレベータ制御装置、６…駆動部、５…エレベータ制御装置、６…つり合いおもり、８…荷重検出センサ、９…テールコード、１０…かご操作ボタン、５１…記憶装置、５１ａ…しきい値データ記憶部、５１ｂ…第１の荷重データ記憶部、５１ｃ…第２の荷重データ記憶部、５２…エレベータ制御処理部、５２Ａ…呼び登録判定手段、５２Ｂ…荷重取得手段、５２Ｃ…利用者乗車判定手段。
【図１】
0005518915.tif 000002
【図２】
0005518915.tif 000003
【図３】
0005518915.tif 000004